(57)【要約】【課題】筋交や筋交取付片が邪魔にならず、筋交の装着、取外し作業が簡単に行え、装着状態が安定し、外力に対する強い抵抗力を発揮でき、全体の強度、剛性が高くなり、組立作業や分解作業等が簡単に行え、取扱い易く、作業性、安全性に優れ、組立状態がより堅牢で、安定的となり、構成簡素で、耐久性に優れ、量産に適し、軽量で、経済性の優れた組立式支保工装置を提供する。【解決手段】ベースフレーム１と、メインフレーム１０と、連結杆体３０と、筋交２０とを備え、ベースフレーム１、メインフレーム１０、連結杆体３０には、筋交取付片５、１５、３５を設け、筋交２０には、固定係止突起２２、可動係止突起２３を設け、可動係止突起２３は、摺動可能に且つ回転自在に形成し、固定係止突起２２と可動係止突起２３は、筋交取付片５、１５、３５の筋交取付孔６、１６、３６に係脱自在に係止できるよう構成する。【選択図】        図１
2005009171.tif 000002
【特許請求の範囲】
【請求項１】
下部に配されるベースフレームと、ベースフレームの上方に順次積上げられる複数のメインフレームと、対向して配されるメインフレーム相互を連結可能な複数の連結杆体と、ベースフレームとメインフレーム、メインフレーム相互、及び連結杆体相互を夫々連結自在となる複数の筋交とを備えた組立式支保工装置であって、ベースフレームは、４本の支柱パイプと、隣設する支柱パイプ相互を連結する４本の連結杆と、隣設する連結杆の端部寄り相互を連結する補強材と、支柱パイプと連結杆とに跨るようにこれらの上方の直角入隅部夫々に固着される筋交取付片とを備え、メインフレームは、２本の支柱パイプと、支柱パイプ相互を連結する１本の連結杆と、支柱パイプの下端部に夫々固着されるジョイントカップと、支柱パイプと連結杆とに跨るようにこれらの上下の直角入隅部夫々に固着される筋交取付片とを備え、連結杆体は、メインフレームの支柱パイプに外装可能な２個の外装筒と、外装筒相互を連結する１本の連結杆体と、外装筒と連結杆体とに跨るように夫々固着される筋交取付片とを備え、筋交は、基杆と、この基杆の一端に固着される固定係止突起と、基杆の他端に装着される可動係止突起とを備え、可動係止突起は、基杆の中心線に沿って摺動可能で且つ基杆の中心線の回りに回転自在となるように形成され、固定係止突起及び可動係止突起は、前記筋交取付片に設けた筋交取付孔に係脱自在に係止できるよう構成したことを特徴とする組立式支保工装置。
【請求項２】
下部に配されるベースフレームと、ベースフレームの上方に順次積上げられる複数のメインフレームと、対向して配されるメインフレーム相互を連結可能な複数の連結杆体と、ベースフレームとメインフレーム、メインフレーム相互、及び連結杆体相互を夫々連結自在となる複数の筋交とを備えた組立式支保工装置であって、ベースフレームは、平面略正方形枠状を呈し、正方形の角部に配されるような４本の支柱パイプと、隣設する支柱パイプ相互を連結する４本の連結杆と、隣設する連結杆の端部寄り相互を連結する補強材と、支柱パイプと連結杆とに跨るようにこれらの上方の直角入隅部夫々に固着されると共に、その取付面が水平面に対して略４５度の斜上向き状態に配される筋交取付片とを備え、メインフレームは、２本の支柱パイプと、支柱パイプ相互を連結する１本の連結杆と、支柱パイプの下端部に夫々固着されるジョイントカップと、支柱パイプと連結杆とに跨るようにこれらの上下の直角入隅部夫々に固着されると共に、その取付面が水平面に対して略４５度の斜上向及び斜下向状態に配される筋交取付片とを備え、連結杆体は、メインフレームの支柱パイプに外装可能な２個の外装筒と、外装筒相互を連結する１本の連結杆体と、外装筒と連結杆体とに跨るように夫々固着されると共に、その取付面が外装筒及び連結杆体の中心線を含む鉛直面に対して略４５度の傾きに配される筋交取付片とを備え、筋交は、基杆と、この基杆の一端に固着される固定係止突起と、基杆の他端に装着される可動係止突起とを備え、可動係止突起は、基杆の中心線に沿って摺動可能で且つ基杆の中心線の回りに回転自在となるように形成され、固定係止突起及び可動係止突起は、ベースフレームの筋交取付片やメインフレームの筋交取付片や連結杆体の筋交取付片に設けた筋交取付孔に差込んで回転せしめることで、筋交取付孔の孔縁部分に係止できるよう構成したことを特徴とする組立式支保工装置。
【発明の詳細な説明】
【０００１】
【発明の属する技術分野】
本発明は、主に、適宜建築現場に於いて支保工として利用できるようにしたもので、その組立作業や分解作業等がより簡単に行え、その組立状態がより堅牢で、安定的となり、しかも、取扱い易く、作業性、安全性に優れた組立式支保工装置に関するものである。
【０００２】
【従来の技術】
従来、組立式支保工装置としては、種々のものが提供されており、例えば、特許文献１のような支保工構造物等が提案されている。
そして、この支保工構造物は、連結棒材の上下両方に突出して設けられた嵌合部を有する複数の連結フレームと、支柱パイプとにより形成され、連結フレームの上方両方に４つずつ突出して設けられた嵌合部のうち、上下それぞれについて２つの嵌合部の突出長さと他の２つの嵌合部の突出長さとを相違させ、４本の支柱パイプの上側に連結フレームを連結する際に、突出長さの長い嵌合部を２本の支柱パイプに嵌合させた後に、嵌合された２つの嵌合部を２本の支柱パイプに案内させながら、突出長さの短い嵌合部を他の２本の支柱パイプに嵌合させて組み立てられるもので、更に、連結棒材には、筋交いの係合孔に係合される係合ピンを連結フレームの外方に向けて突出せしめてある。
【０００３】
【特許文献１】
特開平１１−３００４６号公報
【０００４】
【発明が解決しようとする課題】
しかしながら、前述の如き支保工構造物にあっては、連結棒材に設けてある係合ピンや、この係合ピンを利用して装着される筋交いが、連結フレームの外方に突出するようになっているため、これらが作業時の邪魔となり、その取扱いに悪影響を与えたり、作業の安全性に悪影響を与える虞れ等があった。
そこで、本発明は、前述の如き難点等の解消を図れるようにするのは勿論のこと、その組立作業や分解作業等がより簡単に行えるようにし、また、その組立状態がより堅牢で、安定的となり、更に、取扱い易く、作業性、安全性に優れた組立式支保工装置を提供すべく創出されたものである。
【０００５】
【課題を解決するための手段】
しかして、本発明の請求項１記載の組立式支保工装置にあっては、下部に配されるベースフレーム１と、ベースフレーム１の上方に順次積上げられる複数のメインフレーム１０と、対向して配されるメインフレーム１０相互を連結可能な複数の連結杆体３０と、ベースフレーム１とメインフレーム１０、メインフレーム１０相互、及び連結杆体３０相互を夫々連結自在となる複数の筋交２０とを備えた組立式支保工装置であって、ベースフレーム１は、４本の支柱パイプ２と、隣設する支柱パイプ２相互を連結する４本の連結杆３と、隣設する連結杆３の端部寄り相互を連結する補強材４と、支柱パイプ２と連結杆３とに跨るようにこれらの上方の直角入隅部夫々に固着される筋交取付片５とを備え、メインフレーム１０は、２本の支柱パイプ１１と、支柱パイプ１１相互を連結する１本の連結杆１２と、支柱パイプ１１の下端部に夫々固着されるジョイントカップ１３と、支柱パイプ１１と連結杆１２とに跨るようにこれらの上下の直角入隅部夫々に固着される筋交取付片１５とを備え、連結杆体３０は、メインフレーム１０の支柱パイプ１１に外装可能な２個の外装筒３１と、外装筒３１相互を連結する１本の連結杆体３０と、外装筒３１と連結杆体３０とに跨るように夫々固着される筋交取付片３５とを備え、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、前記筋交取付片５、１５、３５に設けた筋交取付孔６、１６、３６に係脱自在に係止できるよう構成する手段を採用した。
【０００６】
また、本発明の請求項２記載の組立式支保工装置にあっては、下部に配されるベースフレーム１と、ベースフレーム１の上方に順次積上げられる複数のメインフレーム１０と、対向して配されるメインフレーム１０相互を連結可能な複数の連結杆体３０と、ベースフレーム１とメインフレーム１０、メインフレーム１０相互、及び連結杆体３０相互を夫々連結自在となる複数の筋交２０とを備えた組立式支保工装置であって、ベースフレーム１は、平面略正方形枠状を呈し、正方形の角部に配されるような４本の支柱パイプ２と、隣設する支柱パイプ２相互を連結する４本の連結杆３と、隣設する連結杆３の端部寄り相互を連結する補強材４と、支柱パイプ２と連結杆３とに跨るようにこれらの上方の直角入隅部夫々に固着されると共に、その取付面が水平面に対して略４５度の斜上向き状態に配される筋交取付片５とを備え、メインフレーム１０は、２本の支柱パイプ１１と、支柱パイプ１１相互を連結する１本の連結杆１２と、支柱パイプ１１の下端部に夫々固着されるジョイントカップ１３と、支柱パイプ１１と連結杆１２とに跨るようにこれらの上下の直角入隅部夫々に固着されると共に、その取付面が水平面に対して略４５度の斜上向及び斜下向状態に配される筋交取付片１５とを備え、連結杆体３０は、メインフレーム１０の支柱パイプ１１に外装可能な２個の外装筒３１と、外装筒３１相互を連結する１本の連結杆体３０と、外装筒３１と連結杆体３０とに跨るように夫々固着されると共に、その取付面が外装筒３１及び連結杆体３０の中心線を含む鉛直面に対して略４５度の傾きに配される筋交取付片３５とを備え、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、ベースフレーム１の筋交取付片５やメインフレーム１０の筋交取付片１５や連結杆体３０の筋交取付片３５に設けた筋交取付孔６、１６、３６に差込んで回転せしめることで、筋交取付孔６、１６、３６の孔縁部分に係止できるよう構成する手段を採用した。
【０００７】
【発明の実施の形態】
以下、本発明を図示例に基づいて説明すると、次の通りである。
本発明は、適宜建築現場に於いて支保工として利用できるようにした組立式支保工装置で、この組立式支保工装置は、ジャッキベース７を介して適宜位置に設置される略平面正方形枠状の金属製ベースフレーム１と、このベースフレーム１の上方に順次積上げられる複数の略正面Ｈ字状の金属製メインフレーム１０と、対向して配されるメインフレーム１０相互を連結可能な複数の金属製連結杆体３０と、ベースフレーム１とメインフレーム１０、メインフレーム１０相互、及び連結杆体３０相互を夫々連結自在となる複数の金属製筋交２０とを備えたものである。
【０００８】
そして、前記ベースフレーム１は、例えば、その下端部にジャッキベース７の軸部（ネジ棒部）が差込み可能で、且つ正方形の角部に配されるような４本の丸パイプ状の支柱パイプ２と、隣設する支柱パイプ２相互を連結する（例えば、溶着される）４本の角パイプ状の連結杆３と、隣設する連結杆３の端部寄り相互を連結する（例えば、溶着される）と共に、連結杆３相互を斜めに結ぶ４つの略帯板状の補強材４と、支柱パイプ２と連結杆３とに跨るようにこれらの上方の直角入隅部夫々に固着（例えば、溶着）されると共に、その取付面が水平面に対して略４５度の斜上向き状態に配される４つの筋交取付片５とで構成されている（図１乃至図４参照）。
【０００９】
更に、前記筋交取付片５は、例えば、支柱パイプ２と連結杆３とを結ぶように配される（例えば、溶着される）と共に、水平面に対して略４５度の斜上向き状態に配される略矩形状の基片と、この基片の両側縁に直角に連設されると共に、支柱パイプ２と連結杆３とを夫々結ぶように配される（例えば、溶着される）左右折曲片とによって構成され、前記基片の中央に筋交取付孔６が穿設されている。すなわち、筋交取付片５自身の強度、剛性が高く、支柱パイプ２と連結杆３をより強固に且つ堅牢に連結できるように構成されている。
しかも、筋交取付孔６は、例えば、中央の円孔部と、この円孔部の対向縁部分に切設される一対の略矩形状凹部とによって構成されている（図７参照）。
【００１０】
また、前記メインフレーム１０は、例えば、ベースフレーム１の支柱パイプ２と同径となるような丸パイプ状を呈し、且つベースフレーム１の隣設する支柱パイプ２の間隔と一致するような間隔で平行に配される２本の支柱パイプ１１と、２本の支柱パイプ１１相互を連結すると共に、支柱パイプ１１の筒心方向略中央部分に固着される（例えば、溶着される）１本の略角パイプ状の連結杆１２と、支柱パイプ１１の下端部に夫々固着される（例えば、溶着される）２つの略円筒状のジョイントカップ１３と、支柱パイプ１１と連結杆１２とに跨るようにこれらの上下の直角入隅部夫々に固着される（例えば、溶着される）と共に、その取付面が水平面に対して略４５度の斜上向及び斜下向状態に配される４つの筋交取付片１５とで構成されている（図１乃至図３、図５参照）。
【００１１】
前記ジョイントカップ１３は、その上端部分が支柱パイプ１１に外接するように僅かに窄まり、その下端部分が、ベースフレーム１の支柱パイプ２や、他のメインフレーム１０の支柱パイプ１１に外装し易くなるように、僅かに拡開するように形成されている。しかも、ジョイントカップ１３には、その内表面がわに僅かに突出するような複数の突起部を設けて、ベースフレーム１の支柱パイプ２や、他のメインフレーム１０の支柱パイプ１１にガタつくことなく外装できるように構成してある（図５参照）。尚、ジョイントカップ１３には、その内部に雨水等が溜まらないような適宜水抜き孔を設けてあっても良い。
【００１２】
しかも、前記筋交取付片１５は、例えば、支柱パイプ１１と連結杆１２とを結ぶように配される（例えば、溶着される）と共に、水平面に対して略４５度の斜上向き状態及び斜下向き状態に配される略矩形状の基片と、この基片の両側縁に直角に連設されると共に、支柱パイプ１１と連結杆１２を夫々結ぶように配される（例えば、溶着される）左右折曲片とによって構成され、前記基片の中央に筋交取付孔１６が穿設されている。すなわち、筋交取付片１５自身の強度、剛性が高く、支柱パイプ１１と連結杆１２をより強固に且つ堅牢に連結できるように構成されている。
尚、筋交取付孔１６は、ベースフレーム１の筋交取付孔６と同様に、例えば、中央の円孔部と、この円孔部の対向縁部分に切設される一対の略矩形状凹部とによって構成されている（図７参照）。
【００１３】
更に、前記連結杆体３０は、メインフレーム１０の支柱パイプ１１に外装可能な２個の略短円筒状の外装筒３１と、外装筒３１相互を連結する（例えば、溶着される）１本の略角筒状の連結杆体３０と、外装筒３１と連結杆体３０とに跨るように夫々固着される（例えば、溶着される）と共に、その取付面が外装筒３１及び連結杆体３０の中心線を含む鉛直面に対して略４５度の傾きに配される筋交取付片３５とで構成されている（図１、図８参照）。
【００１４】
前記外装筒３１は、その内表面がわに僅かに突出するような複数の突起部を設けて、メインフレーム１０の支柱パイプ１１にガタつくことなく外装できるように構成してある（図８参照）。
【００１５】
また、前記筋交取付片３５は、例えば、外装筒３１及び連結杆体３０の中心線を含む鉛直面に対して略４５度の傾きに配される略矩形状の基片と、この基片の両端縁に直角に連設されると共に、連結杆体３０と外装筒３１とに向って延設されて固着される（例えば、溶着される）一対の脚片とによって平面略溝形状に形成され、前記基片の中央に筋交取付孔３６が穿設されている（図８参照）。
尚、筋交取付孔３６は、ベースフレーム１やメインフレーム１０の筋交取付孔６、１６と同様に、例えば、中央の円孔部と、この円孔部の対向縁部分に切設される一対の略矩形状凹部とによって構成されている。
【００１６】
そして、前記筋交２０は、例えば、所定長さの略丸パイプ状の基杆２１と、この基杆２１の一端に固着される（例えば、溶着、或いは、ピン止される）固定係止突起２２と、基杆２１の他端に装着される可動係止突起２３とを備え、可動係止突起２３は、基杆２１の中心線に沿って摺動可能で且つ基杆２１の中心線の回りに正逆回転自在となるように構成されている（図１、図６、図８参照）。
【００１７】
更に、固定係止突起２２及び可動係止突起２３は、ベースフレーム１の筋交取付片５や、メインフレーム１０の筋交取付片１５や、連結杆体３０の筋交取付片３５に設けた筋交取付孔６、１６、３６に差込んでから、回転（例えば、１／４回転）せしめることで、筋交取付孔６、１６、３６の孔縁部分に係止できるよう構成してある。すなわち、固定係止突起２２と可動係止突起２３の先端部分は、筋交取付孔６、１６、３６の円孔部に合致するような軸部と、筋交取付孔６、１６、３６の一対の凹部に合致するような一対の凸部とを備えており、軸部が筋交取付孔６、１６、３６の円孔部を通過すると共に、一対の凸部が筋交取付孔６、１６、３６の一対の凹部を通過した後に、固定係止突起２２や可動係止突起２３を回転（例えば、１／４回転）せしめることで、一対の凸部が筋交取付孔６、１６、３６の孔縁部分に係止されると共に、その係止状態が維持できるように構成されている（図７参照）。
【００１８】
尚、図中２４は、基杆２１の他端に内装固着される（例えば、溶着、或いはネジ止される）筒体で、この筒体２４は、略厚肉円筒状を呈し、その他端がわにロック片収容凹部２８が切設されている。
また、図中２５は、筒体２４の内周面を筒心方向に沿って摺動すると共に、正逆回転自在となるように装着される摺動軸で、この摺動軸２５の他端部分に可動係止突起２３が形成されている。一方、摺動軸２５の一端がわには、筒体２４の孔径より大きな抜止ストッパー２９が固着（例えば、溶着）されており、摺動軸２５の他端がわへの所定距離以上の摺動を規制している。
図中２６は、摺動軸２５の他端寄りに固着される操作突起で、この操作突起２６は、その先端がわ部分が摺動軸２５の一端がわに傾くような傾斜状態に配され、手指によって容易に且つ確実に押圧できて、可動係止突起２３及び摺動軸２５を確実に正逆回転せしめられるように形成されている。
図中２７は、摺動軸２５の他端寄りに固着される例えば略半円筒状のロック片で、このロック片２７は、前記筒体２４のロック片収容凹部２８に収容可能となるよう形成され、しかも、筒体２４の他端面に於いてロック片収容凹部２８が設けてある部分に対して対向する端面部分に当接可能となるように形成されている。すなわち、ロック片２７が筒体２４の他端面に於いてロック片収容凹部２８が設けてある部分に対して対向する端面部分に当接しているときには、抜止ストッパー２９が筒体２４の一端面部分に当接するようになり、摺動軸２５が筒体２４に対して摺動不能となるように構成されている。尚、この摺動不能状態を解除するには、操作突起２６を手指で押圧して摺動軸２５を回転せしめ、ロック片２７と筒体２４他端面部分との当接状態を解除すれば、ロック片２７がロック片収容凹部２８に収まるまで摺動軸２５を一端がわに摺動できるようになる。
【００１９】
図中４０は、最上部のメインフレーム１０の支柱パイプ１１内にその軸棒部を差込むことによって装着される受金具である。尚、この受金具４０は、支持する対象物によって適宜形状のものを利用することができる。
【００２０】
ところで、組立式支保工装置の具体的構成、形状、寸法、材質、ベースフレーム１の具体的構成、形状、寸法、材質、支柱パイプ２の具体的構成、形状、寸法、材質、連結杆３の具体的構成、形状、寸法、材質、補強材４の具体的構成、形状、寸法、材質、数、配設位置、筋交取付片５の具体的構成、形状、寸法、材質、筋交取付孔６の具体的構成、形状、寸法、ジャッキベース７の具体的構成、形状、寸法、材質、メインフレーム１０の具体的構成、形状、寸法、材質、支柱パイプ１１の具体的構成、形状、寸法、材質、連結杆１２の具体的構成、形状、寸法、材質、ジョイントカップ１３の具体的構成、形状、寸法、材質、配設位置、筋交取付片１５の具体的構成、形状、寸法、材質、筋交取付孔１６の具体的構成、形状、寸法、筋交２０の具体的構成、形状、寸法、材質、基杆２１の具体的構成、形状、寸法、材質、固定係止突起２２の具体的構成、形状、寸法、材質、可動係止突起２３の具体的構成、形状、寸法、材質、筒体２４の具体的構成、形状、寸法、材質、摺動軸２５の具体的構成、形状、寸法、材質、操作突起２６の具体的構成、形状、寸法、材質、配設状態、ロック片２７の具体的構成、形状、寸法、材質、ロック片収容凹部２８の具体的構成、形状、寸法、抜止ストッパー２９の具体的構成、形状、寸法、材質、連結杆体３０の具体的構成、形状、寸法、材質、外装筒３１の具体的構成、形状、寸法、材質、連結杆３２の具体的構成、形状、寸法、材質、筋交取付片３５の具体的構成、形状、寸法、材質、筋交取付孔３６の具体的構成、形状、寸法、受金具４０の具体的構成、形状、寸法、材質等は、図示例のもの等に限定されることなく適宜自由に設定、変更できるものである。
【００２１】
【発明の効果】
従って、本発明の請求項１記載の組立式支保工装置は、下部に配されるベースフレーム１と、ベースフレーム１の上方に順次積上げられる複数のメインフレーム１０と、対向して配されるメインフレーム１０相互を連結可能な複数の連結杆体３０と、ベースフレーム１とメインフレーム１０、メインフレーム１０相互、及び連結杆体３０相互を夫々連結自在となる複数の筋交２０とを備えた組立式支保工装置であって、ベースフレーム１は、４本の支柱パイプ２と、隣設する支柱パイプ２相互を連結する４本の連結杆３と、隣設する連結杆３の端部寄り相互を連結する補強材４と、支柱パイプ２と連結杆３とに跨るようにこれらの上方の直角入隅部夫々に固着される筋交取付片５とを備え、メインフレーム１０は、２本の支柱パイプ１１と、支柱パイプ１１相互を連結する１本の連結杆１２と、支柱パイプ１１の下端部に夫々固着されるジョイントカップ１３と、支柱パイプ１１と連結杆１２とに跨るようにこれらの上下の直角入隅部夫々に固着される筋交取付片１５とを備え、連結杆体３０は、メインフレーム１０の支柱パイプ１１に外装可能な２個の外装筒３１と、外装筒３１相互を連結する１本の連結杆体３０と、外装筒３１と連結杆体３０とに跨るように夫々固着される筋交取付片３５とを備え、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、前記筋交取付片５、１５、３５に設けた筋交取付孔６、１６、３６に係脱自在に係止できるよう構成したので、その組立作業や分解作業等が簡単に行えるようになり、取扱い易く、作業性、安全性に優れ、その組立状態がより堅牢で、安定的となり、しかも、構成が簡素で、耐久性に優れ、量産に適し、比較的軽量で、経済性の優れた組立式支保工装置となる。
【００２２】
特に、ベースフレーム１の筋交取付片５は、支柱パイプ２と連結杆３とに跨るようにこれらの上方の直角入隅部夫々に固着され、メインフレーム１０の筋交取付片１５は、支柱パイプ１１と連結杆１２とに跨るようにこれらの上下の直角入隅部夫々に固着され、連結杆体３０の筋交取付片３５は、外装筒３１と連結杆体３０とに跨るように夫々固着されるので、ベースフレーム１、メインフレーム１０、連結杆体３０夫々の強度及び剛性が高められ、耐久性の優れたものとなる。ひいては、組立式支保工装置全体の強度、剛性が高められるようになる。
加えて、筋交２０は、ベースフレーム１の隣設する支柱パイプ２や、メインフレーム１０の一対の支柱パイプ１１の中心線を含む鉛直面内に配されるようになり、支柱パイプ２、１１の外接面から外方に大きく突出する虞れのないものとなり、筋交２０や筋交取付片５、１５が邪魔になるような虞れのないものとなる。
更に、筋交２０は、一対の連結杆体３０の連結杆３２の中心線を含む水平面内に配されるようになり、連結杆３２の水平外接面から上下に大きく突出する虞れのないものとなり、筋交２０や筋交取付片３５が邪魔になるような虞れのないものとなる。
【００２３】
そして、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、前記筋交取付片５、１５、３５に設けた筋交取付孔６、１６、３６に係脱自在に係止できるよう構成したので、筋交２０の装着、取外し作業が簡単に行えるようになると共に、装着状態が安定し、外力に対する強い抵抗力を発揮できる筋交２０となる。
【００２４】
また、本発明の請求項２記載の組立式支保工装置は、下部に配されるベースフレーム１と、ベースフレーム１の上方に順次積上げられる複数のメインフレーム１０と、対向して配されるメインフレーム１０相互を連結可能な複数の連結杆体３０と、ベースフレーム１とメインフレーム１０、メインフレーム１０相互、及び連結杆体３０相互を夫々連結自在となる複数の筋交２０とを備えた組立式支保工装置であって、ベースフレーム１は、平面略正方形枠状を呈し、正方形の角部に配されるような４本の支柱パイプ２と、隣設する支柱パイプ２相互を連結する４本の連結杆３と、隣設する連結杆３の端部寄り相互を連結する補強材４と、支柱パイプ２と連結杆３とに跨るようにこれらの上方の直角入隅部夫々に固着されると共に、その取付面が水平面に対して略４５度の斜上向き状態に配される筋交取付片５とを備え、メインフレーム１０は、２本の支柱パイプ１１と、支柱パイプ１１相互を連結する１本の連結杆１２と、支柱パイプ１１の下端部に夫々固着されるジョイントカップ１３と、支柱パイプ１１と連結杆１２とに跨るようにこれらの上下の直角入隅部夫々に固着されると共に、その取付面が水平面に対して略４５度の斜上向及び斜下向状態に配される筋交取付片１５とを備え、連結杆体３０は、メインフレーム１０の支柱パイプ１１に外装可能な２個の外装筒３１と、外装筒３１相互を連結する１本の連結杆体３０と、外装筒３１と連結杆体３０とに跨るように夫々固着されると共に、その取付面が外装筒３１及び連結杆体３０の中心線を含む鉛直面に対して略４５度の傾きに配される筋交取付片３５とを備え、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、ベースフレーム１の筋交取付片５やメインフレーム１０の筋交取付片１５や連結杆体３０の筋交取付片３５に設けた筋交取付孔６、１６、３６に差込んで回転せしめることで、筋交取付孔６、１６、３６の孔縁部分に係止できるよう構成したので、その組立作業や分解作業等が簡単に行えるようになり、取扱い易く、作業性、安全性に優れ、その組立状態がより堅牢で、安定的となり、しかも、構成が簡素で、耐久性に優れ、量産に適し、比較的軽量で、経済性の優れた組立式支保工装置となる。
【００２５】
特に、ベースフレーム１の筋交取付片５は、支柱パイプ２と連結杆３とに跨るようにこれらの上方の直角入隅部夫々に固着されると共に、その取付面が水平面に対して略４５度の斜上向き状態に配され、メインフレーム１０の筋交取付片１５は、支柱パイプ１１と連結杆１２とに跨るようにこれらの上下の直角入隅部夫々に固着されると共に、その取付面が水平面に対して略４５度の斜上向及び斜下向状態に配され、連結杆体３０の筋交取付片３５は、外装筒３１と連結杆体３０とに跨るように夫々固着されると共に、その取付面が外装筒３１及び連結杆体３０の中心線を含む鉛直面に対して略４５度の傾きに配されるので、ベースフレーム１、メインフレーム１０、連結杆体３０夫々の強度及び剛性がバランス良く高められ、耐久性の優れたものとなる。ひいては、組立式支保工装置全体の強度、剛性が高められるようになる。
加えて、筋交２０は、ベースフレーム１の隣設する支柱パイプ２や、メインフレーム１０の一対の支柱パイプ１１の中心線を含む鉛直面内に配されるようになり、支柱パイプ２、１１の外接面から外方に大きく突出する虞れのないものとなり、筋交２０や筋交取付片５、１５が邪魔になるような虞れのないものとなる。更に、筋交２０は、一対の連結杆体３０の連結杆３２の中心線を含む水平面内に配されるようになり、連結杆３２の水平外接面から上下に大きく突出する虞れのないものとなり、筋交２０や筋交取付片３５が邪魔になるような虞れのないものとなる。
【００２６】
そして、筋交２０は、基杆２１と、この基杆２１の一端に固着される固定係止突起２２と、基杆２１の他端に装着される可動係止突起２３とを備え、可動係止突起２３は、基杆２１の中心線に沿って摺動可能で且つ基杆２１の中心線の回りに回転自在となるように形成され、固定係止突起２２及び可動係止突起２３は、ベースフレーム１の筋交取付片５やメインフレーム１０の筋交取付片１５や連結杆体３０の筋交取付片３５に設けた筋交取付孔６、１６、３６に差込んで回転せしめることで、筋交取付孔６、１６、３６の孔縁部分に係止できるよう構成したので、筋交２０の装着、取外し作業が簡単に行えるようになると共に、装着状態が安定し、外力に対する強い抵抗力を発揮できる筋交２０となる。
【図面の簡単な説明】
【図１】本発明の組立式支保工装置の一部を例示する分解斜視図である。
【図２】本発明の組立式支保工装置を例示する正面図である。
【図３】本発明の組立式支保工装置を例示する側面図である。
【図４】本発明の組立式支保工装置のベースフレームを例示する平面図である。
【図５】本発明の組立式支保工装置のメインフレームを例示する一部切欠正面図である。
【図６】本発明の組立式支保工装置の筋交を例示する一部切欠正面図である。
【図７】本発明の組立式支保工装置の筋交の装着状態を例示する部分側面図である。
【図８】本発明の組立式支保工装置を例示する一部省略平面図である。
【符号の説明】
１      ベースフレーム                ２      支柱パイプ
３      連結杆                        ４      補強材
５      筋交取付片                    ６      筋交取付孔
７      ジャッキベース
１０    メインフレーム                １１    支柱パイプ
１２    連結杆                        １３    ジョイントカップ
１５    筋交取付片                    １６    筋交取付孔
２０    筋交                          ２１    基杆
２２    係止突起                      ２３    係止突起
２４    筒体                          ２５    摺動軸
２６    操作突起                      ２７    ロック片
２８    ロック片収容凹部              ２９    抜止ストッパー
３０    連結杆体                      ３１    外装筒
３２    連結杆                        ３５    筋交取付片
３６    筋交取付孔
４０    受金具
【図１】
2005009171.tif 000003
【図２】
2005009171.tif 000004
【図３】
2005009171.tif 000005
【図４】
2005009171.tif 000006
【図５】
2005009171.tif 000007
【図６】
2005009171.tif 000008
【図７】
2005009171.tif 000009
【図８】
2005009171.tif 000010